(57)【要約】【課題】容器の口頸部に残留せしめられたタンパーエビデント裾部を充分容易にタンパーエビデント裾部から離脱せしめることができることに加えて、タンパーエビデント裾部の拡張が充分に防止乃至抑制され、従って容器の口頸部に容器蓋を装着して状態において容器蓋の外観が劣化されることがなく、そしてまたタンパーエビデント特性が毀損される虞も充分に防止乃至抑制することができる。【解決手段】タンパーエビデント裾部（３６）の少なくとも下部は周方向に連続して延在している内側壁（５２）と内側壁を囲繞する外側壁（５４）とから構成されている。外側壁には周方向に延びる補助周方向破断可能ライン（６６）と、下端から補助周方向破断可能ラインまで軸線方向に延びる軸線方向スリット（６８）とが形成されている。【選択図】　　　　図１
2004131145.tif 000002
【特許請求の範囲】
【請求項１】
天面壁と該天面壁の周縁から垂下する筒状スカート壁とを有し、該スカート壁には周方向に延びる周方向破断可能ラインが形成されており、該スカート壁は該周方向破断可能ラインよりも上方の主部と該周方向破断可能ラインよりも下方のタンパーエビデント裾部とに区画されており、該スカート壁の該主部の内周面には雌螺条が形成されており、該タンパーエビント裾部の内周面には係止手段が形成されている合成樹脂製容器蓋において、
該タンパーエビデント裾部の少なくとも下部は内側壁と該内側壁を囲繞する外側壁とから構成されており、該内側壁には軸線方向に延びるスリットが存在せず該内側壁は周方向に連続して延在し、該係止手段は該内側壁の内周面に配設されており、該外側壁には周方向に延びる補助周方向破断可能ラインが形成されていると共に、下端から少なくとも該補助周方向破断可能ラインまで軸線方向に延びる軸線方向スリットが形成されている、ことを特徴とする合成樹脂製容器蓋。
【請求項２】
該補助周方向破断可能ラインは周方向に連続して該外側壁を切断することによって形成された切断ラインから構成されており、該補助周方向破断可能ラインよりも下方において該内側壁の外周面と該外側壁の内周面とを接続する破断可能接続部が周方向に間隔をおいて複数個配設されている、請求項１記載の合成樹脂製容器蓋。
【請求項３】
天面壁と該天面壁の周縁から垂下する筒状スカート壁とを有し、該スカート壁には周方向に延びる周方向破断可能ラインが形成されており、該スカート壁は該周方向破断可能ラインよりも上方の主部と該周方向破断可能ラインよりも下方のタンパーエビデント裾部とに区画されており、該スカート壁の該主部の内周面には雌螺条が形成されており、該タンパーエビント裾部の内周面には係止手段が形成されている合成樹脂製容器蓋において、
該タンパーエビデント裾部は内側壁と該内側壁を囲繞する外側壁とから構成されており、該内側壁は該周方向破断可能ラインを介して該スカート壁の該主部に接続されており、該内側壁には軸線方向に延びるスリットが存在せず該内側壁は周方向に連続して延在し、該係止手段は該内側壁の内周面に配設されており、該内側壁の外周面と該外側壁の内周面とを接続する破断可能接続部が周方向に間隔をおいて複数個配設されており、該外側壁は直接的に該スカート壁の該主部に接続されることなく該破断可能接続部、該内側壁及び該周方向破断可能ラインを介して該スカート壁の該主部に接続されており、該外側壁には下端から該上端まで軸線方向に延びる軸線方向スリットが形成されている、こと特徴とする合成樹脂製容器蓋。
【請求項４】
該スカート壁の内周面には下方を向いた環状肩面が形成されていると共に、該肩面から下方に延びる突条が周方向に間隔をおいて複数個形成されており、該スカート壁の外周面から切断刃を作用せしめることによって該突条の少なくとも一部を残留せしめて該スカート壁を周方向に連続して切断することによって該周方向破断可能ラインが形成されると共に該タンパーエビデント裾部の該外側壁が該スカート壁の該主部から切り離され、そしてまた該破断可能接続部も該スカート壁の該主部から切り離される、請求項３記載の合成樹脂製容器蓋。
【発明の詳細な説明】
【０００１】
【発明の属する技術分野】
本発明は、タンパーエビデント特性（悪戯明示特性）を備えた合成樹脂製容器蓋に関する。
【０００２】
【従来の技術】
ポリエチレンテレフタレートの如き適宜の合成樹脂或いはガラスから形成することができる飲料等のための容器に適用される容器蓋として、当業者には周知の如く、タンパーエビデント特性を備えた合成樹脂製容器蓋が実用に供されている。かかる合成樹脂製容器蓋の典型例は、円形天面壁とこの天面壁の周縁から垂下する円筒状スカート壁とを有する。スカート壁には周方向に延びる周方向破断可能ラインが形成されており、スカート壁は周方向破断可能ラインよりも上方の主部と周方向破断可能ラインよりも下方のタンパーエビデント裾部とに区画されている。主部の内周面には雌螺条が形成され、タンパーエビデント裾部の内周面には係止手段が形成されている。
【０００３】
上述した形態の合成樹脂製容器蓋は、口頸部の外周面に雄螺条とこの雄螺条の下方に位置する係止あご部が形成されている容器に適用される。容器の口頸部を密封する際には、容器蓋を口頸部に被嵌して閉方向に回転せしめ、口頸部の雄螺条に容器蓋の雌螺条を螺合せしめる。かくすると容器蓋は閉方向への回転に従って口頸部に対して下降せしめられ、容器蓋のタンパーエビデント裾部に形成されている係止手段は口頸部の係止あご部を弾性的に乗り越えてこれに係止せしめられる。口頸部を開封せしめる際には、容器蓋を開方向に回転せしめる。かくすると、口頸部の雄螺条に対する容器蓋の雌螺条の螺合が解除されるに従って容器蓋が上昇せしめられる。しかしながら、タンパーエビデント裾部は係止手段が口頸部の係止あご部に係止されている故に上昇が阻止され、これに起因して周方向破断可能ラインに相当な応力が生成され、周方向破断可能ラインが破断される。しかる後に、容器蓋はタンパーエビデント裾部を残して口頸部から離脱せしめられる。
【０００４】
而して、近時においては、所謂ゴミの分別収集のために、タンパーエビデント裾部を容器の口頸部に残留せしめないことが望まれている。そこで、周知の如く、金属薄板製の容器蓋において実施されている如く、スカート壁に形成されている周方向破断可能ラインの一部分の強度を比較的大きくすると共に、タンパーエビデント裾部に軸線方向に延びる破断可能ラインを形成し、口頸部の開封の際には、周方向破断可能ラインにおける一部分は破断されることなく維持され、タンパーエビデント裾部における軸線方向破断可能ラインが破断されてタンパーエビデント裾部が無端環状から有端帯状に展開され、タンパーエビデント裾部を含む容器蓋の全体が口頸部から離脱されるようになすことが提案されている。しかしながら、かような形態の容器蓋には、金属薄板に比べて合成樹脂は延伸性が比較的大きい等に起因して、口頸部の開封の際に軸線方向破断可能ラインが所要とおりに破断されることなく周方向破断可能ラインがその全体に渡って破断されてしまって、タンパーエビデント裾部がスカート壁の主部から離脱され、従ってタンパーエビデント裾部が口頸部に残留せしめられてしまうことが少なくない、という問題がある。軸線方向破断可能ラインが確実に破断されるようになすために軸線方向破断可能ラインの強度を低減せしめると、口頸部を密封するために口頸部に容器蓋を装着する際に軸線方向破断可能ラインが破断されてしまうという許容し得ない事態が発生する傾向がある。また、タンパーエビデント裾部にその下端から上端まで軸線方向に延びる軸線方向スリットを形成することも既に提案されているが、かようなスリットを形成すると、容器の口頸部に容器蓋を装着すると、軸線方向スリットの周方向幅が過剰に拡大され、外観が著しく劣化されてしまうと共に、口頸部の係止あご部に対する係止手段の係止作用が毀損され、タンパーエビデント特性が毀損されてしまう（換言すれば、周方向破断可能ラインの破断を伴うことなく容器蓋が口頸部から離脱されてしまう）傾向が発生する。
【０００５】
上述したとおりの事実に鑑み、本発明者等は、先に、タンパーエビデント裾部を周方向における一部分において相互の接続された内側壁と外側壁との二重螺旋巻構造にせしめることを提案した（特許文献１参照）。二重螺旋巻構造のタンパーエビデント裾部は無端環状ではなくて有端螺旋形態であり、口頸部を開封する際には口頸部に残留せしめられるが、残留せしめられたタンパーエビデント裾部は適宜に展開せしめて口頸部から充分容易に離脱することができる。
【０００６】
【特許文献１】
特開２００２−２１１６０７号公報
【０００７】
【発明が解決しようとする課題】
然るに、かかる容器蓋においても、タンパーエビデント裾部は軸線方向に延びるスリットを有し、周方向に連続して延在する無端環状形態でない故に、タンパーエビデント裾部のスリットが比較的容易に拡張される傾向が残留せしめられており、従って外観が劣化されると共にタンパーエビデント特性が毀損される傾向が残留する。
【０００８】
本発明は上記事実に鑑みてなされたものであり、その主たる技術的課題は、口頸部に残留せしめられたタンパーエビデント裾部を充分容易にタンパーエビデント裾部から離脱せしめることができることに加えて、タンパーエビデント裾部の拡張が充分に防止乃至抑制され、従って容器の口頸部に容器蓋を装着した状態において容器蓋の外観が劣化されることがなく、そしてまたタンパーエビデント特性が毀損される虞も充分に防止乃至抑制されている、新規且つ改良された合成樹脂製容器蓋を提供することである。
【０００９】
【課題を解決するための手段】
本発明者等は鋭意検討の結果、タンパーエビデント裾部を内側壁とこの内側壁を囲繞する外側壁とから構成し、内側壁には軸線方向に延びるスリットが存在せず、内側壁は周方向に連続して延在する（従って無端環状形態である）ように構成することによって、上記主たる技術的課題を達成することができることを見出した。
【００１０】
即ち、本発明の第一の局面によれば、上記主たる技術的課題を達成する合成樹脂製容器蓋として、天面壁と該天面壁の周縁から垂下する筒状スカート壁とを有し、該スカート壁には周方向に延びる周方向破断可能ラインが形成されており、該スカート壁は該周方向破断可能ラインよりも上方の主部と該周方向破断可能ラインよりも下方のタンパーエビデント裾部とに区画されており、該スカート壁の該主部の内周面には雌螺条が形成されており、該タンパーエビント裾部の内周面には係止手段が形成されている合成樹脂製容器蓋において、
該タンパーエビデント裾部の少なくとも下部は内側壁と該内側壁を囲繞する外側壁とから構成されており、該内側壁には軸線方向に延びるスリットが存在せず該内側壁は周方向に連続して延在し、該係止手段は該内側壁の内周面に配設されており、該外側壁には周方向に延びる補助周方向破断可能ラインが形成されていると共に、下端から少なくとも該補助周方向破断可能ラインまで軸線方向に延びる軸線方向スリットが形成されている、ことを特徴とする合成樹脂製容器蓋が提供される。
【００１１】
該補助周方向破断可能ラインは周方向に連続して該外側壁を切断することによって形成された切断ラインから構成されており、該補助周方向破断可能ラインよりも下方において該内側壁の外周面と該外側壁の内周面とを接続する破断可能接続部が周方向に間隔をおいて複数個配設されているのが好適である。
【００１２】
本発明の第二の局面によれば、上記主たる技術的課題を達成する合成樹脂製容器蓋として、天面壁と該天面壁の周縁から垂下する筒状スカート壁とを有し、該スカート壁には周方向に延びる周方向破断可能ラインが形成されており、該スカート壁は該周方向破断可能ラインよりも上方の主部と該周方向破断可能ラインよりも下方のタンパーエビデント裾部とに区画されており、該スカート壁の該主部の内周面には雌螺条が形成されており、該タンパーエビント裾部の内周面には係止手段が形成されている合成樹脂製容器蓋において、
該タンパーエビデント裾部は内側壁と該内側壁を囲繞する外側壁とから構成されており、該内側壁は該周方向破断可能ラインを介して該スカート壁の該主部に接続されており、該内側壁には軸線方向に延びるスリットが存在せず該内側壁は周方向に連続して延在し、該係止手段は該内側壁の内周面に配設されており、該内側壁の外周面と該外側壁の内周面とを接続する破断可能接続部が周方向に間隔をおいて複数個配設されており、該外側壁は直接的に該スカート壁の該主部に接続されることなく該破断可能接続部、該内側壁及び該周方向破断可能ラインを介して該スカート壁の該主部に接続されており、該外側壁には下端から該上端まで軸線方向に延びる軸線方向スリットが形成されている、こと特徴とする合成樹脂製容器蓋が提供される。
【００１３】
該スカート壁の内周面には下方を向いた環状肩面が形成されていると共に、該肩面から下方に延びる突条が周方向に間隔をおいて複数個形成されており、該スカート壁の外周面から切断刃を作用せしめることによって該突条の少なくとも一部を残留せしめて該スカート壁を周方向に連続して切断することによって該周方向破断可能ラインが形成されると共に該タンパーエビデント裾部の該外側壁が該スカート壁の該主部から切り離され、そしてまた該破断可能接続部も該スカート壁の該主部から切り離されるのが好ましい。
【００１４】
【発明の実施の形態】
以下、本発明に従って構成されたタンパーエビデント特性を備えた合成樹脂製容器蓋の好適実施形態を図示している添付図面を参照して、更に詳細に説明する。
【００１５】
図１乃至図４には本発明に係る合成樹脂容器蓋の一実施形態が図示されている。全体を番号２で示す容器蓋はポリプロピレン又はポリエチレンの如き適宜の合成樹脂から成形されており、図示の実施形態においては中栓４及び蓋本体６から構成されている。
【００１６】
容器蓋２の中栓４は周知の構成を利用することでよく、円形底壁８と、底壁８の周縁から上方に延びる円筒状内壁１０と、内壁１０の上端から半径方向外方に延びる環状壁１２とを含んでいる。底壁８の下面には薄肉破断ライン１４によって切取領域が規定されており、底壁８の上面には薄肉破断ライン１４よりも半径方向内側の所要部位に引張リング１６が形成されている。環状壁１２の上面における内周縁には上方に向かって延びるラッパ形状の排出筒壁１８が形成されており、環状壁１２の下面における外周縁には下方に向かって延びる円筒状外壁２０が形成されている。かかる外壁２０の内周面下端部には周方向に延びる環状係止突条２２が形成されている。
【００１７】
図１乃至図３を参照して説明を続けると、容器蓋２の蓋本体６は円板形状天面壁２４と、かかる天面壁２４の周縁から垂下する略円筒状スカート壁２６とを有している。天面壁２４の下面には環状内側シール壁２８と、かかる内側シール壁２８から半径方向外方に幾分離れた位置において周方向に延びる環状外側シール壁３０とが形成されている。スカート壁２６には周方向破断可能ライン３２が形成されており、スカート壁２６は周方向破断可能ライン３２よりも上方の主部３４と周方向破断可能ライン３２よりも下方のタンパーエビデント裾部３６とに区画されている。スカート壁２６の内周面における下端部には下方を向いた環状肩面３８が形成されており、かかる環状肩面３８から下方に延びる突条４０が周方向に適宜間隔をおいて複数個形成されている。上記周方向破断可能ライン３２は突条４０の軸線方向中間部において、スカート壁２６の外周面から切断刃を作用せしめ、突条４０の少なくとも一部を残留せしめてスカート壁２６を切断することによって形成されている。突条４０の各々の切断されることなく残留せしめられた部分が所謂橋絡部を構成し、タンパーエビデント裾部３６は橋絡部を介してスカート壁２６の主部３４に接続されている。スカート壁２６の主部３４は主領域４２と、主領域４２の下端から下方に向かって外径が漸次増大する円錐台形状部４４と、円錐台形状部４４の下端から下方に向かって上記周方向破断可能ライン３２まで延びる円筒状付加部４６とから構成されている。スカート壁２６の主部３４の内周面には雌螺条４８が形成されており、スカート壁２６の主部３４における主領域４２の外周面には、そこに掛けられる指の滑りを防止するための凹凸形状５０が形成されている。
【００１８】
図３及び図４を参照して説明を続けると、上記タンパーエビデント裾部３６の少なくとも下部は、周方向に連続して延在する内側壁５２と、かかる内側壁５２を囲繞する外側壁５４とから構成されている。図示の実施形態においては、内側壁５２と外側壁５４との間にタンパーエビデント裾部３６の下端からタンパーエビデント裾部３６の軸線方向中間より幾分上方まで延びる環状溝５６が形成されており、かかる環状溝５６の底面には周方向に間隔をおいて、内側壁５２の外周面と外側壁５４の内周面とを接続する破断可能接続部５８が複数個（図示の場合は１８個）配設されている。かかる環状溝５６は蓋本体６を射出成形或いは圧縮成形する際に形成することができる。或いはこれに代えて、蓋本体６を成形した後に、タンパーエビデント裾部３６の下端から、破断可能接続部５８に対応した切欠を有する環状切断刃を作用せしめることによって形成することもできる。内側壁５２には軸線方向に延びるスリットが存在せず、その内周面に係止手段６０が形成されている。図示の実施形態における係止手段６０は周方向に連続して延在している環状突出片６２から構成されており、かかる環状突出片６２はタンパーエビデント裾部３６の内周面から半径方向内方に向かって上方に傾斜して突出せしめられている。環状突出片６２には、その先端から基縁近傍まで延びる切り目６４が周方向に間隔をおいて形成されている。所望ならば、環状突出片６２に代えて、例えばフラップ片、弧状突条等の他の適宜の形態の突条或いは突起から係止手段を構成することもできる。また、図示の実施形態における外側壁５４には軸線方向において上記破断可能接続部５８の中間部が位置する部位に周方向に延びる補助周方向破断可能ライン６６が形成されている。かかる補助周方向破断可能ライン６６は軸線方向において上記破断可能接続部５８の中間部が位置する部位に外側壁５４の外周面から切断刃を作用せしめ、外側壁５４及び破断可能接続部５８の一部を切断することによって形成されている。そしてまた、図示の実施形態における外側壁５４には、図２に図示するとおり、その下端から主部３４の円錐台形状部４４の軸線方向中間まで軸線方向に延びる軸線方向スリット６８が形成されている。
【００１９】
図１には上述したとおりの容器蓋２が適用される、ガラス或いは適宜の合成樹脂等から成形することができる容器の口頸部７０も図示されている。かかる口頸部７０は略円筒形状であり、その外周面には軸線方向に間隔をおいて二条の係止あご部７２及び７４と、係止あご部７２及び７４の間に雄螺条７６とが形成されている。
【００２０】
内容物が充填された容器の口頸部７０に容器蓋２を装着する際には、中栓４を蓋本体６内に組み込み、しかる後に容器の口頸部７０に被嵌し、蓋本体６を閉回転方向、即ち図１において上方から見て時計方向に回転せしめる。かくすると、口頸部７０の雄螺条７６に蓋本体６の雌螺条４８が螺合せしめられ、蓋本体６は回転に応じて口頸部７０に沿って下降せしめられる。そして、蓋本体６のスカート壁２６におけるタンパーエビデント裾部３６の内周面に形成されている係止手段６０が口頸部７０の外周面に形成されている係止あご部７４を弾性的に乗り越えて、係止あご部７４の下方に係合せしめられる。中栓４も蓋本体６の下降に付随して下降せしめられ、中栓４の外壁２０の内周面下端部に形成されている環状係止突条２２が口頸部７０の外周面に形成されている係止あご部７２を弾性的に乗り越えて、その下方に係合せしめられる。中栓４の内壁１０の外周面及び環状壁１２の下面は口頸部７０の内周面上端部及び頂面に密接せしめられ、容器の口頸部７０が密封される。かくして、容器蓋２の中栓４及び蓋本体６が容器の口頸部７０に装着される。本発明の容器蓋２においては、タンパーエビデント裾部３６の内側壁５２が周方向に連続して延びているが故に、容器蓋２を容器の口頸部７０に装着した状態においてはタンパーエビデント裾部３６の拡張が充分防止乃至抑制され、従って容器蓋２の外観が劣化されることがなく、タンパーエビデント特性が毀損される虞も充分に防止乃至抑制することができる。
【００２１】
容器の口頸部７０を開封する際には、容器蓋２の蓋本体６を開回転方向、即ち図１において上方からみて反時計方向に回転せしめて、蓋本体６の雌螺条４８と口頸部７０の雄螺条７６との螺合を漸次解除する。かくすると蓋本体６のスカート壁２６は上昇せんとするが、スカート壁２６のタンパーエビデント裾部３６は、その内周面に形成されている係止手段６０が口頸部７０の係止あご部７４の下方に係合せしめられている故に上昇が阻止され、従ってスカート壁２６に形成されている周方向破断可能ライン３２、更に詳しくはその橋絡部に相当な応力が生成されて橋絡部が破断される。これによってタンパーエビデント裾部３６がスカート壁２６の主部３４から完全に分離され、タンパーエビデント裾部３６は口頸部７０から離脱されることなく口頸部７０に残留せしめられる。一方、タンパーエビデント裾部３６を除く蓋本体６は口頸部７０に沿って上昇せしめられ、口頸部７０から離脱せしめられる。これによって中栓４を装着した口頸部７０が露呈せしめられる。しかる後において中栓４の引張リング１６に指を掛けて上方に引っ張ると、中栓４の底壁８に形成された薄肉破断ライン１４が破断され、引張リング１６及び薄肉破断ライン１４に規定されている切取領域が中栓４からから離脱せしめられ、中栓４の底壁８に排出開口が生成される。かかる排出開口を通して容器内の内容物を消費することができる。
【００２２】
ごみの分別収集のために、口頸部７０に残留せしめられているタンパーエビデント裾部３６を容器の口頸部７０から離脱せしめる際には、軸線方向スリット６８によって有端帯状になる外側壁５４の一方の端部を指で摘み、半径方向外方に強制せしめる。かくすると、補助周方向破断可能ライン６６、即ち複数個の破断可能接続部５８が周方向に順次破断せしめられ、外側壁５４がタンパーエビデント裾部３６から離脱せしめられる。その後、口頸部７０に残留せしめられている、外側壁５４が離脱せしめられたタンパーエビデント裾部を上方に強制すると、タンパーエビデント裾部３６は外側壁５４が離脱せしめられているが故に比較的容易に拡張され、タンパーエビデント裾部３６の内周面に形成されている係止手段６０が口頸部７０の係止あご部７４及び雄螺条７６を比較的容易に乗り越えて、タンパーエビデント裾部３６は口頸部７０から離脱せしめられる。或いは、図２において軸線方向スリット６８の左側領域に外側壁５４と内側壁５２とを連結する連結部を付設しておいて、外側壁５４の軸線方向スリット６８の右側端部を指で摘まみ、半径方向外方に強制し、更に上方に強制することにより連結部を介して外側壁５４と共にタンパーエビデント裾部３６の全体が口頸部７０から離脱せしめるようにすることもできる。
【００２３】
図５にはタンパーエビデント裾部の変形例が図示されている。かかるタンパーエビデント裾部１３６は周方向に連続して延在する内側壁１５２と、かかる内側壁１５２を囲繞する外側壁１５４とから構成されている。図示の実施形態においては、内側壁１５２と外側壁１５４との間にタンパーエビデント裾部１３６の下端からタンパーエビデント裾部１３６の上端まで延びる環状溝１５６が形成されており、かかる環状溝１５６の底面には周方向に間隔をおいて、内側壁１５２の外周面と外側壁１５４の内周面とを接続する破断可能接続部１５８が複数個（図示の場合は１８個）配設されている。図示の実施形態における破断可能接続部１５８の上端は、周方向破断可能ライン１３２によってスカート壁２６の主部３４から切り離されている。内側壁１５２は周方向破断可能ライン１３２、更に詳しくは橋絡部を介してスカート壁２６の主部３４に接続されており、かかる内側壁１５２の内周面には係止手段１６０が配設されている。また、外側壁１５４は破断可能接続部１５８、内側壁１５２及び橋絡部を介してスカート壁２６の主部３４に接続されており、かかる外側壁１５４には下端から上端、即ち周方向破断可能ライン１３２まで軸線方向に延びる軸線方向スリット（図示していない）が形成されている。
【００２４】
ごみの分別収集のために、口頸部７０に残留せしめられているタンパーエビデント裾部１３６を容器の口頸部７０から離脱せしめる際には、軸線方向スリット（図示していない）によって有端帯状になる外側壁１５４の一方の端部を指で摘み、半径方向外方に強制せしめる。かくすると、複数個の破断可能接続部１５８が周方向に順次破断せしめられ、外側壁１５４がタンパーエビデント裾部１３６から離脱せしめられる。その後、口頸部７０に残留せしめられている外側壁１５４が離脱せしめられたタンパーエビデント裾部１３６を上方に強制すると、タンパーエビデント裾部１３６は外側壁１５４が離脱せしめられているが故に比較的容易に拡張され、タンパーエビデント裾部１３６の内周面に形成されている係止手段１６０が口頸部７０の係止あご部７４及び雄螺条７６を比較的容易に乗り越えて、タンパーエビデント裾部１３６は口頸部７０から離脱せしめられる。この場合にも、所望ならば外側壁１５４と内側壁１５２とを連結する連結部を付設しておいて、外側壁１５４を指で摘んで所要方向に強制することによってタンパーエビデント裾部１３６の全体が口頸部７０から離脱せしめられるようになすことができる。
【００２５】
【発明の効果】
本発明のタンパーエビデント特性を備えた合成樹脂製容器蓋においては、口頸部に残留せしめられたタンパーエビデント裾部を充分容易にタンパーエビデント裾部から離脱せしめることができることに加えて、タンパーエビデント裾部の拡張が充分に防止乃至抑制され、従って容器の口頸部に容器蓋を装着した状態において容器蓋の外観が劣化されることがなく、そしてまたタンパーエビデント特性が毀損される虞も充分に防止乃至抑制することができる。
【図面の簡単な説明】
【図１】本発明に従がって構成された容器蓋の一実施形態を示す断面図。
【図２】図１に示す容器蓋の正面図。
【図３】図１に示す容器蓋の底面図。
【図４】図１の容器蓋のタンパーエビデント裾部を示す部分拡大断面。
【図５】タンパーエビデント裾部の変形例を示す図。
【符号の説明】
２：容器蓋
４：中栓
６：蓋本体
２４：天面壁
２６：スカート壁
３２：周方向破断可能ライン
３４：主部
３６：タンパーエビデント裾部
３８：肩面
４０：突条
４８：雌螺条
５２：内側壁
５４：外側壁
５８：破断可能接続部
６０：係止手段
６６：補助周方向破断可能ライン
６８：軸線方向スリット
７０：口頸部
１２６：スカート壁
１３２：周方向破断可能ライン
１３４：主部
１３６：タンパーエビデント裾部
１５２：内側壁
１５４：外側壁
１５８：破断可能接続部
１６０：係止手段
【図１】
2004131145.tif 000003
【図２】
2004131145.tif 000004
【図３】
2004131145.tif 000005
【図４】
2004131145.tif 000006
【図５】
2004131145.tif 000007